(57)【要約】【課題】マルチメディアデジタル録画再生装置を提供する。【解決手段】デジタル録画再生モジュールを有し、該デジタル録画再生モジュールは、中央処理ユニットにメモリユニット、制御インターフェイス、信号処理ユニット、複数信号伝送インターフェイス、外部信号インターフェイスを連設し、外部表面にディスプレイを設け、側面にはマルチメディア再生モジュールを設け、更に画像信号インターフェイスを使用して画像信号をディスプレイに伝送し、且つ音声信号を伝送できる音声信号インターフェイスを設けることによって、監視作業を行い監視画像信号を記録保存するときに、画像再生ができるようにする。【選択図】  図１
0003132393.tif 000002
【実用新案登録請求の範囲】
【請求項１】
監視作業の進行中に同時に録画、録音及び画像音声を再生することができるマルチメディアデジタル録画再生装置であって、
デジタル画像再生モジュールを備えて、該デジタル画像再生モジュールは中央処理ユニット、ディスプレイ及びマルチメディア再生モジュールを含み、信号データを読み書きするメモリユニットと、外部制御装置を接続して前記中央処理ユニットを制御する制御インターフェイスとを有し、前記中央処理ユニットに画像音声信号を受信させてエンコードを行う信号処理ユニットを連設し、前記信号処理ユニットは外部アナログ信号を受信してこれをデジタル信号に変換する信号変換装置と、前記中央処理ユニットに少なくとも一個以上の信号を伝送する信号伝送インターフェイスと、外部信号を処理する外部信号インターフェイスとを設け、
前記ディスプレイは前記デジタル録画再生モジュールの外部表面に設けられ、画像信号インターフェイスを用いて前記信号伝送インターフェイスに接続し、且つ音声信号を受信できる音声信号インターフェイスを設け、
前記マルチメディア再生モジュールは前記デジタル録画再生モジュールの側面に設けられ、画像信号を前記ディスプレイに伝送する画像音声信号インターフェイスを有し、画像音声信号をデコードする画像音声信号デコーダを設けたことを特徴とするマルチメディアデジタル録画再生装置。
【請求項２】
前記デジタル録画再生モジュールの中央処理ユニット、マルチメディア再生モジュール及び画像音声信号デコーダは、それぞれシングルチップ、ＣＰＵまたは埋め込みシステムオンチップなどとしたことを特徴とする請求項１記載のマルチメディアデジタル録画再生装置。
【請求項３】
前記デジタル録画再生モジュールのメモリユニットは、内部に予め設定したハードディスクドライブ（ＨＤＤ）、メモリカード、メモリなどの信号データを記録保存することができる記憶装置とし、または外部に予め設定したハードディスクドライブ、ＵＳＢメモリなどの記憶装置とすることを特徴とする請求項１記載のマルチメディアデジタル録画再生装置。
【請求項４】
前記デジタル録画再生モジュールの信号処理ユニットは、信号に対しエンコード、デコードなどできる処理機能を有し、前記信号処理ユニットの信号変換装置はアナログ信号をデジタル信号に変換する変換装置としたことを特徴とする請求項１記載のマルチメディアデジタル録画再生装置。
【請求項５】
前記デジタル録画再生モジュールの制御装置は、外部に接続したマウス、キーボードまたはリモートコントローラなどし、またディスプレイタッチパネル装置としたことを特徴とする請求項１記載のマルチメディアデジタル録画再生装置。
【請求項６】
前記デジタル録画再生モジュールの外部信号インターフェイスは、ＲＳ４８５、ＲＳ２３２、ＰＳ２、外部トリガー信号などのインターフェイスとすることができ、またはネットワークインターフェイス（ＮＥＴＷＯＲＫ）、ローカルエリアネットワークインタフェイス（ＬＡＮ  ＶＩＥＷＥＲ）、ＵＳＢインターフェイスなどとすることができるようにしたことを特徴とする請求項１記載のマルチメディアデジタル録画再生装置。
【請求項７】
前記デジタル録画再生モジュールの外部信号インターフェイスは、外部信号を接続できるメモリカードスロット、ＵＳＢインターフェイス、ネットワークインターフェイスなどの信号インターフェイスとすることができるようにしたことを特徴とする請求項１記載のマルチメディアデジタル録画再生装置。
【請求項８】
前記メモリカードスロットは、ＳＤ／ＭＳ  ＣＡＲＤ、ＳＭ／ＸＤ  ＣＡＲＤ、ＣＦ  ＣＡＲＤとすることができるようにしたことを特徴とする請求項７記載のマルチメディアデジタル録画再生装置。
【請求項９】
前記ネットワークインターフェイスは、ネットワークインターフェイス（ＮＥＴＷＯＲＫ）、ローカルエリアネットワークインターフェイス（ＬＡＮ  ＶＩＥＷＥＲ）、ＲＪ４５などのインターフェイスとすることができるようにしたことを特徴とする請求項７記載のマルチメディアデジタル録画再生装置。
【請求項１０】
前記外部信号インターフェイスは、マルチメディア再生装置、ＣＤ−ＲＯＭ、ＤＶＤ−ＲＯＭ、ＶＣＤ−ＲＯＭなど画像データを記録または再生できるレコーダまたは再生装置とすることができるようにしたことを特徴とする請求項１記載のマルチメディアデジタル録画再生装置。
【考案の詳細な説明】
【技術分野】
【０００１】
本考案は、マルチメディアデジタル録画再生装置に係り、特に監視、録画、録音及び画像音声再生を同時に行うことができ、同時にストレージユニットに保存して、マルチメディア再生モジュールを利用して同時に画像音声の再生をすることができるマルチメディアデジタル録画再生装置に関する。
【背景技術】
【０００２】
現在使用されているセキュリティ監視システム（ＣＣ−ＴＶ）は、録画装置の録画に装備したビデオテープは、シミュレーション方式を採用し、随時ビデオテープを交換する必要があるほか、画質の解析度が悪く、録画機能に限界があり、撮影カメラが撮影したアナログ画像を、制御本体に外付けしたモニタに画像を表示し、外付け録画装置で同時に録画を行う。制御本体の外付け機器が増えれば、周囲にうずまく伝送線、電源線も増え、更に制御本体はパネル上の調整ボタンでしか運転を操作できず、実際の使用において様々な欠点がある。
【０００３】
（１）     制御本体は直接画像信号を記憶できず、また他の伝送インタフェイスを利用してストレージにデータを保存することもできず、外付けビデオテープ録画装置で画像を作成するしかない。また、ビデオテープの使用時間に制限され、一時間程度しか録画時間がなく、絶えずビデオテープの交換を繰り返さねばならず、使用に際してたいへん面倒で不便である。
【０００４】
（２）     制御本体は、ビデオテープで画像を作成することができるだけで、画像の再生はできない。画像を見る場合は、再生装置を利用してビデオテープ中に記録した画像を見る必要があり、緊急の事態に即座の応急措置がとれない。
【０００５】
（３）     制御本体内部にはストレージがないため、画像を記録できない。外付け録画装置の故障やテープが終わったときは、制御本体は画像を記録できなくなり、監視システムのコントロール機能に影響し、緊急事態に録画による証拠保存ができず、保安・防犯機能が大幅に減少する。
【０００６】
デジタル時代の到来により、旧来のアナログ式画像処理は徐々にデジタル式装置に取って代わられ、デジタルビデオレコーダ（ＤＶＲ）が登場し、監視システムの機能を拡大した。従来の信号線による画像伝送のほか、ネットワーク、ワイヤレス伝送といった方法でも、カメラが撮影した画像信号を伝送でき、画質が向上し、機能も増えた。ただし、現在使用されているデジタルビデオレコーダ（ＤＶＲ）はハードディスク、データ記録ディスクドライブを内蔵しているが、メモリ容量に限りがあり、データ記録ディスクドライブでバックアップを作成することはできてもリアルタイムのアクセスはできず、アクセスと書き込み作業は別に行わなければならない。もちろん、メモリカード、ＵＳＢメモリや外付けハードディスクなどマルチメディアストレージで画像音声信号の保存をすることもできない。デジタルビデオレコーダのメモリ容量拡張と記録方法には、多くの問題が存在しており、監視画像を見るにも外付けディスプレイモニタがなければカメラの画像をディスプレイできず、ディスプレイモニタ購入費用が必要な上、設置に場所もとり、使用上も多くの不便があり、デジタルビデオレコーダによっては、制御システムが複雑なために操作ボタンが多く複雑で、管理情報システムＭＩＳ（Ｍａｎａｇｅｍｅｎｔ  Ｉｎｆｏｍａｔｉｏｎ  Ｓｙｓｔｅｍ）を通じてコンピュータシステムを利用した管理をしたり、これを利用して更にネットワークマネジメントのコンピュータシステムオペレータがコンピュータシステムのネットワーク運営を管理したり、専門エンジニア、オペレータがデジタルビデオレコーダの運転を操作・制御するなど、操作運転が難しい。その使用には以下のような多くの欠点がある。
【０００７】
（１）                                                                      デジタルビデオレコーダ（ＤＶＲ）は、２４時間連続作業のため、内蔵ハードディスクを連続使用する状況で、ハードディスクの使用寿命が短くなり（およそ３〜４ヶ月しか使用できない）、内蔵ハードディスクの交換の作業が頻繁になる。
【０００８】
（２）                                                                      現在使われているデジタルビデオレコーダ（ＤＶＲ）は、使用者に単一の監視制御メカニズムしか提供できず、同時進行でのマルチメディア画像音声再生機能を提供できない。同時に画像音声再生をしたい場合は更にディスプレイモニタとマルチメディア再生装置を購入し、更にディスプレイモニタとその他画像音声再生装置を購入しなければならず、金銭の浪費とスペースの無駄、操作の困難さを増す。
【０００９】
（３）                                                                      現在使われているデジタルビデオレコーダ（ＤＶＲ）は、単一操作インタフェイスしかないため、制御ボタンも多く使用時の困難が増加する。通常は専門エンジニアのインストラクションが必要だったり、使用マニュアルを参照しなければならないなど、使用の面倒と不便を招く。
【考案の開示】
【考案が解決しようとする課題】
【００１０】
本考案は、これらの事情に鑑みてなされたもので、従来技術の監視システムにディスプレイモニタがなく、またメモリ拡張ができないなどの使用面の問題を解決し、ディスプレイを備えてマルチメディア画像音声再生及び外付けストレージを有するマルチメディアデジタル録画再生装置を提供することを目的とする。
【課題を解決するための手段】
【００１１】
本考案が提供するマルチメディアデジタル録画再生装置は、デジタル録画再生モジュールを有し、該デジタル録画再生モジュールは、中央処理ユニットにメモリユニット、制御インターフェイス、信号処理ユニット、複数信号伝送インターフェイス、外部信号インターフェイスを連設し、外部表面にディスプレイを設け、側面にはマルチメディア再生モジュールを設け、更に画像信号インターフェイスを使用して画像信号をディスプレイに伝送し、且つ音声信号を伝送できる音声信号インターフェイスを設けることによって、監視作業を行い監視画像信号を記録保存するときに、画像再生ができるようにする。
【００１２】
また、前記デジタル録画再生モジュールは、中央処理ユニットの制御によって、ヒューマニティに即した設計で操作インターフェイスの制御ボタンを簡略化し、使用者が外部マウス、キーボード、リモートコントローラなどの制御装置で、ディスプレイに表示された操作インターフェイスを直接選択して操作使用できるようにし、監視システムまたは再生システム運転の選択の利便性を図る。
【００１３】
本考案はまた、デジタル録画再生モジュールが設けるメモリユニットを提供し、録画再生モジュール内のハードディスクドライブ（ＨＤＤ）に内蔵してもよく、または外付けハードディスクドライブとしてもよく、外部信号インターフェイスはメモリスロットに各種メモリカードを挿入、ＵＳＢインターフェイスにＵＳＢメモリ、ネットワークインターフェイスとネットワークケーブル接続でネットワークを通じた遠隔端末から制御できるようにする。
【考案の効果】
【００１４】
本考案は、以下に挙げる長所がある。
【００１５】
（１）     デジタル録画再生モジュール１はディスプレイ２を内蔵し、カメラ４が撮影した画像を、信号処理ユニット１４で変換後、信号伝送インターフェイス１５を通じてディスプレイ２の画像信号インターフェイス２１に伝送すると、ディスプレイ２が画像を再生し、デジタル録画再生モジュール１は別途外付けディスプレイモニタを接続する必要がなく、実用性が向上する。
【００１６】
（２）     デジタル録画再生モジュール１にメモリユニット１２を内蔵または外付けし、カメラ４が撮影した画像音声信号を直接記録保存することができ、更に中央処理ユニット１１を通じて、外部信号インターフェイス１６を利用して外部のメモリカード、ＵＳＢインターフェイスを具えた記憶装置、ネットワークインターフェイスなど外部に接続したマルチメディア再生装置を接続し、メモリユニット１２が記録保存した画像音声データを取り出せば、マルチメディア再生装置で書き込み、バックアップ、コピーを行うことができ、デジタル録画再生モジュールのメモリ容量拡充の機能が達成される。
【００１７】
（３）     デジタル録画再生モジュール１は、ディスプレイ２、マルチメディア再生モジュール３を内蔵しているため、外付けその他周辺設備が減少し、周囲に信号線が散乱する状態が減少する。また、デジタル録画再生モジュール１は、外部信号インターフェイス１６を利用して外部の信号を記録できるメモリ、例えばメモリカード、ＵＳＢメモリ、外付けハードディスクドライブ、ネットワークにより接続したコンピュータなど外部ストレージに接続することができる。
【考案を実施するための最良の形態】
【００１８】
以下、図面を参照して本考案の実施例を説明する。
【００１９】
図１、図２、図３に示すように、本考案の実施例におけるマルチメディアデジタル画像再生装置は、デジタル録画再生モジュール１、ディスプレイ２及びマルチメディア再生モジュール３といった部材から構成される。
【００２０】
前記デジタル録画再生モジュール１は、画像音声編集と制御を行う中央処理ユニット１１、メモリユニット１２を備えている。前記中央処理ユニット１１には、制御インターフェイス１３を連設し、該制御インターフェイス１３は外部制御装置１３１を接続できる。前記信号処理ユニット１４の信号転換装置１４１は、信号モードの変換を行い、前記中央処理ユニット１１は信号伝送インターフェイス１５を設けて画像信号を伝送でき、外部信号インターフェイス１６に外部信号を接続できる。
【００２１】
前記ディスプレイ２は、画像信号インターフェイス２１、音声信号インターフェイス２２を設けている。
【００２２】
前記マルチメディア再生モジュール３は、画像・音声信号をデコードできる画像音声信号デコーダ３１及び画像音声信号インターフェイス３２を設け、更に画像音声信号インターフェイス３２は画像信号インターフェイス３２１、音声信号インターフェイス３２２をそれぞれ備えている。
【００２３】
上述のデジタル録画再生モジュール１は、外部表面にディスプレイ２を接続し、中央処理ユニット１１から信号伝送インターフェイス１５を通じて、ディスプレイ２の画像信号インターフェイス２１に接続し、信号伝送インターフェイス１５からカメラ４が監視する画像信号を画像信号インターフェイス２１に伝送し、ディスプレイ２に表示する。
【００２４】
更に、デジタル録画再生モジュール１は、外部信号インターフェイス１６のマルチメディア再生インターフェイス（ＣＤ−ＲＯＭ、ＤＶＤ−ＲＯＭ、メモリスロット、画像音声記録再生装置など）、ＵＳＢインターフェイス、ＲＳ４８５インターフェイス、ＲＳ２３２インターフェイス及びネットワークインターフェイスなどのインターフェイスを通じて、外部マルチメディア画像音声信号を中央処理ユニット１１に伝送でき、該中央処理ユニット１１から外部画像音声信号をマルチメディア再生モジュール３に伝送し、マルチメディア再生モジュール３の画像音声信号デコーダ３１で画像音声信号をデコードすると、画像音声信号インターフェイス３２の画像信号インターフェイス３２１からディスプレイ２の画像信号インターフェイス２１に接続し、更に音声信号インターフェイス３２の音声信号インターフェイス３２２からディスプレイ２の音声信号インターフェイス２２に接続して、ディスプレイ２に画像音声信号を再生する。デジタル録画再生モジュール１の中央処理ユニット１１はカメラ４が監視した撮影信号を受信すると、同時に外部信号インターフェイス１６を経て外部マルチメディア再生インターフェイスなどのインターフェイスに接続して、同時進行で画像音声を放映でき、デジタル録画再生モジュール１はリアルタイムの監視録画と同時に画像音声再生を行う多重使用機能を具えることができる。
【００２５】
マルチメディア再生モジュール３に設ける画像音声信号デコーダ３１は、ＭＰＥＧ４  ＶＩＤＥＯ、ＭＰＥＧ２  ＭＯＶＩＥ、ＭＰＥＧ１  ＶＩＤＥＯ、ＭＯＴＩＯＮ  ＪＰＥＧ、ＪＰＥＧ  ＰＨＯＴＯといった画像ファイルフォーマットの信号をデコードまたはエンコードし、及びＳ／ＰＤＩＦ  ＤＩＧＩＴＡＬ  ＡＵＤＩＯ、ＡＣＣ  ＡＵＤＩＯ、ＡＣ−３  ＡＵＤＩＯ、ＭＰ３  ＭＵＳＩＣ、ＥＳＳ  ＭＵＳＩＣなどの音声ファイルフォーマットの信号をデコードまたはエンコードし、各種画像音声の信号をディスプレイ２再生に適した形式、フォーマットにする。
【００２６】
更に、デジタル録画再生モジュール１内部の中央処理ユニット１１は、システム圧縮機能を内蔵でき、圧縮フォーマットはＭＯＴＩＯＮ  ＪＰＥＧ、ＭＰＥＧ４、Ｈ．２６４ファイルフォーマットといった各種圧縮機能を備えたシステムファイルフォーマットとすることができる。
【００２７】
カメラ４が撮影した画像音声データは、信号処理ユニット１４から中央処理ユニット１１へ伝送され、中央処理ユニット１１から更にメモリユニット１２に転送されてデータ保存される。メモリユニット１２に保存された画像音声信号をキャプチャしたい場合は、前記中央処理ユニット１１がメモリユニット１２中の画像音声信号を読み取り、外部信号インターフェイス１６へ伝送して画像音声信号を記録し、デジタル録画再生モジュール１に提供してメモリユニット１２または外部信号インターフェイス１６によってデータをバックアップする。
【００２８】
デジタル録画再生モジュール１の中央処理ユニット１１は、これに接続した制御インターフェイスから外部制御装置１３に接続する。この外部制御装置１３１は、マウス、キーボード、リモートコントローラ、またはデジタル録画再生モジュール１表面に予め設けた制御ボタンなどとすることができる。前記制御ボタンは、ヒューマニティに即した設計とし、表面の操作インターフェイスの制御ボタンを簡略化し、使用者が外部のマウス、キーボード、リモートコントローラなどの制御装置１３１を通じて直接ディスプレイ２に表示された操作機能インターフェイス上をスライド、クリックすれば、操作機能インターフェイスに表示された各種機能を選択できる。マウス、キーボード、リモートコントローラなどの制御装置１３１で直接機能メニューから選択すると、簡易にデジタル録画再生モジュール１の運転を操作制御でき、オペレーションが非常に簡単になり、専門エンジニアや特別スタッフに頼らずに使用でき、またＭＩＳのコンピュータ管理システムを設置してデジタル録画再生モジュール１の運転管理をする必要もなく、制御使用の実施が効果的に簡略化される。
【００２９】
以上によって制御装置１３１によってデジタル録画再生モジュール１の使用機能を実行でき、デジタル録画再生モジュール１の使用を便利にする目標が達成される。更に信号処理ユニット１４に設けた信号転換装置１４１は、アナログ／デジタルコンバータ（ＡＤＣ、Ａ／Ｄ  ｃｏｎｖｅｒｔｅｒ）とすることができ、外部に少なくとも一個以上のカメラ４を接続でき、各カメラ４が撮影した画像の信号（アナログ信号であってよい）を信号転換装置１４１に伝送し、信号転換装置１４１（ＡＤＣ）が画像信号を処理し（アナログ信号をデジタル信号に転換）、転換後の信号を信号伝送インターフェイス１５を経てディスプレイ２に再生し、また同時にメモリユニット１２に伝送し画像信号のバックアップを作り、メモリユニット１２は内蔵式または外付け式のハードディスクドライブ（ＨＤＤ）、メモリカード、メモリなど信号データを記録保存するストレージとすることができ、リアルタイムの監視と同時に画像バックアップの作業を行うことができる。    
更に、デジタル録画再生モジュール１の外部信号インターフェイス１６はマルチメディア再生インターフェイス（ＣＤ−ＲＯＭ、ＤＶＤ−ＲＯＭ、画像音声録画再生装置など）メモリカードスロットインターフェイス、ＵＳＢ接続インターフェイスまたはネットワーク接続インターフェイスなど外部信号を接続したり、またはストレージのインターフェイスとすることができる。また、マルチメディア再生システム（Ｍｅｄｉａ  Ｐｌａｙｅｒ、ＶＣＤ、ＤＶＤなど再生システム）であってもよく、設置するメモリカードスロットはＳＤ／ＭＳ  ＣＡＲＤ、ＣＦ  ＣＡＲＤ、ＳＭ／ＸＤ  ＣＡＲＤなどのメモリカードを挿入でき、ＵＳＢ接続インターフェイスはＵＳＢコネクタを具えた外付けＵＳＢメモリ（ペンドライブ）、外付けハードディスクドライブ、ＭＰ３、ＭＰ４、マルチメディアストレージなどを接続でき、マルチメディア録画再生モジュール１が内蔵メモリユニット１２のほかにも、外部信号インターフェイス１６を利用して外付けメモリに接続する方法で、そのメモリ容量を拡充でき、マルチメディア録画再生モジュール１の画像音声信号を簡便に迅速にバックアップコピーを作成することができる。
【００３０】
外部信号インターフェイス１６は、ネットワークインターフェイスでもよく、ネットワークインターフェイスは、インターネット、ＬＡＮビューア、ＲＪ４５など外部に予め設定したコンピュータとすることができ、遠隔端末からオペレーションを行うネットワークインターフェイスであってもよい。
【００３１】
図５、図６に示すように、本考案の好適な実施例では、信号処理ユニット１４に設けた信号変換装置１４１は、外部に予め設定した少なくとも一個以上のカメラ４を接続するほか、信号変換装置１４１を利用して外部同軸ケーブルビデオ画像信号５（デジタルまたはアナログのテレビ信号など）を接続することができ、更に信号処理ユニット１４内蔵のビジュアル信号デコーダを経て同軸ケーブルビデオ画像信号５をデコードし、ビデオ画像信号５をディスプレイ２に適した再生信号にし、信号伝送インターフェイス１５を通じてディスプレイ２に伝送すると、ディスプレイ２がテレビのビデオ画像信号５の再生を行う。
【００３２】
図１、図２、図３、図４に示すように、デジタル録画再生モジュール１は、中央処理ユニット１１を経て、ネットワークインターフェイス、ＬＡＮビューアインタフェイスを内蔵することができ、これによって外部遠隔端末での制御者がディスプレイ２の画像画面に所要の編集（画像分割、親子画面、画面連続再生など画面ディスプレイ機能）したり、マルチメディア再生装置（Ｍｅｄｉａ  Ｐｌａｙｅｒ、ＶＣＤ、ＤＶＤなど再生システム）を採用してディスプレイ２の画像画面の分割処理を制御したりできるようになる。
【００３３】
制御ボタンは、ヒューマニティに即した設計とし、その表面の制御インターフェイスの制御ボタンを簡略化し、使用者が外部のマウス、キーボード、リモートコントローラなどの制御装置１３１を通じて、直接ディスプレイ２に表示された操作機能インターフェイスをスライド、クリックして、操作機能インターフェイスが表示する各種機能メニューに応じて、またデジタル録画再生モジュール１の機能に合わせ、マウス、キーボード、リモートコントローラなどの制御装置１３１を利用して直接機能メニューを選択することで、簡易にデジタル録画再生モジュールの運転を制御操作することができ、制御操作が非常に簡便になり、専門エンジニアや特別スタッフに頼らずに操作使用できる。
【００３４】
またディスプレイ２にＵＩ制御インタフェイス（Ｕｓｅｒ  Ｉｎｔｅｒｆａｃｅ）を形成するよう設計して、使用者がＵＩ制御インターフェイスを運用してディスプレイ２の運転を操作できるようにすれば、煩雑な操作インターフェイスや困難なオペレーション手続き、ステップがなくなり、外部制御装置１３１（マウス、キーボード、リモートコントローラなど）を通じて、直接ディスプレイ２に表示された各種機能メニューのＵＩ制御インターフェイスに対して操作を行うことができ、年長者や年少者といった電子装置に詳しくない使用者であっても軽易に制御装置１３１を利用してディスプレイ２のインターフェイスから所要の動作を選択でき、あらゆる年齢層の使用者が簡易に制御操作できるようになる。信号トリガーインタフェイスは、中央処理ユニット１１が監視する信号を判定することによって、所定の信号と差異が発生した場合に中央処理ユニット１１が外部信号インタフェイス１６からトリガー信号を外部の所定防犯／警報システムに転送する。
【００３５】
デジタル録画再生モジュール１は、中央処理ユニット１１が外部信号インターフェイス１６を経て外部マルチメディア再生インターフェイスに接続し、また制御装置１３１から制御インターフェイス１３を経て、中央処理ユニット１１がマルチメディア再生インターフェイスを制御し、更にディスプレイ２はデジタル録画再生モジュール１に内蔵され、デジタル録画再生モジュールが外付けディスプレイモニタを必要としないようにし、直接ディスプレイ２で撮影した画像を見ることができる。
【００３６】
また、ディスプレイ２上にディスプレイタッチパネルユニット２３を設置してもよく、ディスプレイタッチパネルユニット２３に触れることによってデジタル録画再生モジュール１の使用機能の操作を行うことができ、ディスプレイタッチパネルユニット２３を利用して使用者が直に画面から選ぶ方法を提供し、ディスプレイ２に表示した各種機能メニューをパネルタッチ操作で選ぶことができ、外部の制御装置１３１で制御操作する必要はなく、デジタル録画再生モジュール１の使用操作がより便利になる。外部信号インタフェイス１６はＤＶＤ−ＲＯＭ、ＶＣＤ−ＲＯＭ、ＣＤ−ＲＯＭ、Ｍｅｄｉａ  Ｐｌａｙｅｒ、録画再生装置など画像データを記録または再生する記録装置、再生装置といったマルチメディア再生装置とすることができ、録画、録音また画像音声信号再生の機能を具え、中央処理ユニット１１を利用してメモリユニット１２内部に記録したデータを読み取ると、外部信号インタフェイス１６を経て画像音声信号データ保存作業を行うことができ、デジタル録画再生モジュール１はリアルタイムの監視作業のほかに、画像音声信号の再生機能も具え、画像音声信号再生時には、メモリユニット１２は同時にカメラ４が撮影した画像信号を記録して、撮影画像が中断、遺漏することがない。
【００３７】
本実施例のデジタル録画再生モジュール１は、ディスプレイ２、マルチメディア再生モジュール３を内蔵し、デジタル録画再生モジュール１は信号処理ユニット１４で外部カメラ４に接続し、カメラ４が撮影した画像を中央処理ユニット１１で処理し、ディスプレイ２に伝送して画像を再生し、リアルタイム監視を行い、更に、デジタル録画再生モジュール１は信号処理ユニット１４で外部同軸ケーブルのビデオ画像信号５に接続し、映像を中央処理ユニット１１が処理してからディスプレイ２に伝送し画像を再生すればテレビ画像の再生ができる。
【００３８】
更に、中央処理ユニット１１は、カメラ４信号、ビデオ画像信号５をメモリユニット１２に伝送して記録することができ、またマルチメディア再生モジュール３に接続して、外部信号インターフェイス１６を通じて画像、音声信号を画像音声信号デコーダ３１を経てデコードした後、信号をディスプレイ２に伝送して再生し、同時に外部信号インターフェイス１６を利用して外部のメモリを接続することで、デジタル録画再生モジュール１の監視画像を簡易にバックアップ、コピーすることができるようになり、画像再生及び同時記録が達成される。
【図面の簡単な説明】
【００３９】
【図１】本考案実施例の構成を示すブロック図である。
【図２】本実施例の簡易ブロック図である。
【図３】本実施例のデジタル録画再生モジュールを示すブロック図である。
【図４】本実施例のマルチメディア再生モジュールを示すブロック図である。
【図５】本考案の好適な実施例のブロック図である。
【図６】本実施例のマルチメディア再生モジュールの好適な実施例のブロック図である。
【符号の説明】
【００４０】
１ デジタル録画再生モジュール
１１ 中央処理ユニット
１２ メモリユニット
１３ 制御インタフェイス
１３１     制御装置
１４ 信号処理ユニット
１４１     信号転換装置
１５ 信号伝送インタフェイス
１６ 外部信号インタフェイス
２   ディスプレイ
２１ 画像信号インタフェイス
２２ 音声信号インタフェイス
２３ タッチパネルユニット
３   マルチメディア再生モジュール
３１ 画像音声信号デコーダ
３２ 画像音声信号インタフェイス
３２１     画像信号インタフェイス
３２２     音声信号インタフェイス
４   カメラ
５   ビデオ画像信号
【図１】
0003132393.tif 000003
【図２】
0003132393.tif 000004
【図３】
0003132393.tif 000005
【図４】
0003132393.tif 000006
【図５】
0003132393.tif 000007
【図６】
0003132393.tif 000008